(57)【要約】【課題】部品点数の増加を抑えつつ落下防止の確実性の向上を図る。【解決手段】光源ユニット１の係止部13が内側から被係止部23に挿通されて被係止部23に係止されると光源ユニット１が係止部13を支点として吊り下げられる。器具本体２に対して光源ユニット１を仮固定状態とする係止部13が光源ユニット１のユニット本体11と一体に構成されている。つまり、落下防止用の紐を用いる場合と異なり、光源ユニット１の交換時に古い光源ユニット１から紐を外して新しい光源ユニット１に紐を結び直すといった作業が不要である。その結果、紐の結び忘れなどの作業ミスが起こらず且つ紐も不要であるので、部品点数の増加を抑えつつ落下防止の確実性の向上を図ることができる。【選択図】        図１
2012226956.tif 000002
【特許請求の範囲】
【請求項１】
１乃至複数の固体発光素子及び当該固体発光素子を保持するユニット本体を有する光源ユニットと、当該光源ユニットを保持する器具本体とを備え、前記ユニット本体に係止部が一体に設けられ、当該係止部が係脱自在に係止される被係止部が前記器具本体に設けられていることを特徴とする照明器具。
【請求項２】
前記ユニット本体は、前記係止部と前記被係止部との間に係止力が作用しない状態で前記器具本体に固定されることを特徴とする請求項１記載の照明器具。
【請求項３】
前記器具本体に取り付けられて前記光源ユニット用の電力を生成する電源部と、当該電源部で生成される電力を前記光源ユニットに給電するための給電路とを備え、当該給電路は、前記ユニット本体における前記器具本体との接触面以外の面から前記ユニット本体内に導入されることを特徴とする請求項１又は２記載の照明器具。
【発明の詳細な説明】
【技術分野】
【０００１】
本発明は、固体発光素子を光源とする照明器具に関する。
【背景技術】
【０００２】
従来、発光ダイオードなどの固体発光素子を光源とする照明器具が種種提供されている。例えば、特許文献１には、天井板に取り付けられる器具本体と、円板状の実装基板の下面に発光ダイオードが実装されてなるＬＥＤユニットと、多数のレンズを有するレンズ体と、器具本体に着脱自在に取り付けられる器具外郭とを備えた照明器具が記載されている。
【０００３】
この従来例では、天井板の表面にねじ止めされた器具本体の内部にレンズ体と結合されたＬＥＤユニットが収納され、器具本体の外周面に形成されたねじ溝と器具外郭の内周面に形成されたねじ溝とを螺合することで器具外郭が器具本体に取着される。つまり、ＬＥＤユニットは、レンズ体と結合された状態で器具本体及び器具外郭の内部に収納保持される。
【先行技術文献】
【特許文献】
【０００４】
【特許文献１】特開２００２−３０４９０４号公報(段落００３２−００３９及び図１参照）
【発明の概要】
【発明が解決しようとする課題】
【０００５】
ところで、上記従来例のような構造では、ＬＥＤユニットの交換作業において、器具外郭が器具本体から取り外されたときにＬＥＤユニットが落下してしまう虞がある。ただし、ＬＥＤユニットに給電用のケーブルが接続されている状態であれば、ＬＥＤユニットが地面に落下することはないが、このときはケーブルに過度の衝撃が加わることで断線などの不具合が生じる虞がある。
【０００６】
なお、ルーバやグローブなどの配光部材の落下防止用として、一端が器具本体に固定された紐の他端に配光部材が結び付けられている照明器具が従来より提供されている。しかしながら、このような落下防止用の紐を用いる場合、交換作業において紐をＬＥＤユニットに結び付ける必要があるので、部品点数が増加したり、紐を結び付ける作業のし忘れによって落下防止が行われない可能性がある。
【０００７】
本発明は、上記課題に鑑みて為されたものであり、部品点数の増加を抑えつつ落下防止の確実性の向上を図ることを目的とする。
【課題を解決するための手段】
【０００８】
本発明の照明器具は、１乃至複数の固体発光素子及び当該固体発光素子を保持するユニット本体を有する光源ユニットと、当該光源ユニットを保持する器具本体とを備え、前記ユニット本体に係止部が一体に設けられ、当該係止部が係脱自在に係止される被係止部が前記器具本体に設けられていることを特徴とする。
【０００９】
この照明器具において、前記ユニット本体は、前記係止部と前記被係止部との間に係止力が作用しない状態で前記器具本体に固定されることが好ましい。
【００１０】
この照明器具において、前記器具本体に取り付けられて前記光源ユニット用の電力を生成する電源部と、当該電源部で生成される電力を前記光源ユニットに給電するための給電路とを備え、当該給電路は、前記ユニット本体における前記器具本体との接触面以外の面から前記ユニット本体内に導入されることが好ましい。
【発明の効果】
【００１１】
本発明の照明器具は、部品点数の増加を抑えつつ落下防止の確実性の向上を図ることができるという効果がある。
【図面の簡単な説明】
【００１２】
【図１】本発明の実施形態１を示し、(ａ)は仮固定状態の断面図、(ｂ)は本固定状態の断面図である。
【図２】同上の別の構成を示す本固定状態の断面図である。
【図３】同上のさらに別の構成を示し、(ａ)は仮固定状態の断面図、(ｂ)は本固定状態の断面図である。
【図４】本発明の実施形態２を示し、(ａ)は仮固定状態の断面図、(ｂ)は本固定状態の断面図である。
【発明を実施するための形態】
【００１３】
以下、固体発光素子に発光ダイオード(LED)を用いた照明器具に本発明の技術思想を適用した実施形態について説明する。ただし、固体発光素子はLEDに限定されるものではなく、例えば、有機ＥＬ素子などのLED以外の固体発光素子を用いる照明器具にも本発明の技術思想が適用可能である。
【００１４】
(実施形態１)
本実施形態の照明器具は、図１に示すように光源ユニット１と器具本体２を備える。光源ユニット１は、複数の発光ダイオード10及び発光ダイオード10を保持するユニット本体11を有している。発光ダイオード10は、図示しないLEDチップが半球状の合成樹脂体10Aで封止されてなり、LEDチップの発する光が合成樹脂体10Aに含まれる蛍光体で色変換されることによって白色光を放射する、いわゆる白色LEDである。これら複数の発光ダイオード10は、円盤状の実装基板(図示せず)の一面に実装されている。
【００１５】
ユニット本体11は、アルミなどの熱伝導度が相対的に高い金属材料によって扁平な円筒形に形成されている。そして、発光ダイオード10が実装された実装基板がユニット本体11の底面(下面)に取り付けられている。また、ユニット本体11の外周面に端子台12が取り付けられ、この端子台12と発光ダイオード10のアノード及びカソードがリード線やプリント配線などを介して電気的に接続される。さらに、ユニット本体11には係止部13が一体に設けられている。係止部13は、略Ｌ字形に形成され、ユニット本体11の外周面から略垂直に突出する棒状の軸部14の先端に設けられている。
【００１６】
器具本体２は、天井材100に固定される固定板20と、上面が開口した略円筒形であって固定板20の下面に固定されるカバー21と、固定板20及びカバー21の周囲を囲む筒状の外郭22とを有する。固定板20は、ねじ止めなどの適宜の方法で天井材100の下面に固定される。そして、固定板20の下面には、光源ユニット１用の電力を生成する電源部３が取り付けられている。カバー21は、内部に電源部３を収納するようにして開口端部が固定板20に固定されている。外郭22は、両端が開口する略円筒形に形成され、高さ方向(上下方向)の寸法がカバー21よりも長くなっている。したがって、カバー21の下面に光源ユニット１が取り付けられた状態では、光源ユニット１の周囲が外郭22の下部によって囲まれることになる(図１(ｂ)参照)。なお、光源ユニット１はねじ止めなどの適宜の方法でカバー21に固定される。
【００１７】
外郭22は、その下部を水平方向に貫通する貫通孔及びその周辺部分からなる被係止部23が設けられている。すなわち、光源ユニット１の係止部13が内側から被係止部23に挿通されて被係止部23に係止されると、図１(ａ)に示すように光源ユニット１が係止部13を支点として吊り下げられるので、手が離されても光源ユニット１が落下することはない。なお、図１(ａ)に示すように係止部13が被係止部23に係止されて光源ユニット１が器具本体２に吊り下げられている状態を仮固定状態と呼び、図１(ｂ)に示すようにカバー21の下面に光源ユニット１が固定された状態を本固定状態と呼ぶ。
【００１８】
仮固定状態から本固定状態に移行する際、係止部13と被係止部23との係止が外れて係止部13が外郭22の外側に移動し、本固定状態では係止部13が外郭22の外周面よりも外側に突出する。そして、本固定状態において、電源部３から引き出されている電線(給電路)30がカバー21及び外郭22に設けられている電線挿通孔(図示せず)を通して端子台12に接続され、電線30を介して電源部３から光源ユニット１の発光ダイオード10に電力が供給(給電)される。しかも、本固定状態では光源ユニット１の上面とカバー21(器具本体２)の下面とが密着しているので、発光ダイオード10が発する熱をユニット本体11からカバー21を介して器具本体２全体で放熱させることができて放熱性の向上が図れる。ここで、本実施形態では、給電路(電線30)がユニット本体11における器具本体２との接触面(上面)以外の面(外周面)から端子台12を介してユニット本体11内に導入されている。したがって、端子台12がユニット本体11の上面に配設される場合に比較して、ユニット本体11と器具本体２(カバー21)との接触面積を増やすことで放熱性の向上が図れる。
【００１９】
而して本実施形態では、器具本体２に対して光源ユニット１を仮固定状態とする係止部13が光源ユニット１のユニット本体11と一体に構成されている。つまり、落下防止用の紐を用いる場合と異なり、光源ユニット１の交換時に古い光源ユニット１から紐を外して新しい光源ユニット１に紐を結び直すといった作業が不要である。その結果、紐の結び忘れなどの作業ミスが起こらず且つ紐も不要であるので、部品点数の増加を抑えつつ落下防止の確実性の向上を図ることができる。しかも、光源ユニット１の水平方向の最大寸法(係止部13及び軸部14を含む寸法)が外郭22の内径よりも大きいので、係止部13並びに軸部14が被係止部23に挿通されないと光源ユニット１を器具本体２に取り付けることができない。故に、光源ユニット１の交換作業においては、必ず係止部13及び軸部14が被係止部23に挿通されてから本固定状態に移行しなければならないので、落下防止の確実性をより向上させることができる。また、本固定状態においても係止部13及び軸部14が被係止部23に挿通されているので、交換時に光源ユニット１と器具本体２のねじ止めが外されても本固定状態から仮固定状態に移行することで光源ユニット１の落下が防止される。
【００２０】
ここで、図１(ｂ)に示すように本固定状態では係止部13が被係止部23と接触していない。つまり、仮固定状態に比べて遙かに長時間に亘って維持される本固定状態では、係止部13と被係止部23との間に係止力が作用しないため、係止部13及び被係止部23の劣化が進行し難くなって安全性の向上が図れる。
【００２１】
ところで、端子台12に代えて、図２に示すように電源部３の電線30の先端にコネクタ31が設けられ、このコネクタ31と接続されるコネクタ16が先端に設けられた電線15がユニット本体11の外周面から導出される構成であっても構わない。さらに、図３に示すように電源部３側のコネクタ31が外郭22の下部内周面に取り付けられ、ユニット本体11側のコネクタ16がユニット本体11の外周面から突出するように取り付けられてもよい。この場合、ユニット本体11が水平方向にスライドされることでコネクタ16，31が挿抜自在に接続される。
【００２２】
(実施形態２)
本実施形態の照明器具は、光源ユニット１と器具本体２の係止構造に特徴があり、その他の構成は実施形態１と共通である。よって、実施形態１と共通の構成要素には同一の符号を付して説明を省略する。
【００２３】
図４に示すようにユニット本体11上面の端部から軸部14が上向きに突出し、軸部14の先端から係止部13がユニット本体11と反対側に突出している。さらに、係止部13の先端には軸部14に向かって突出する突部13Aが一体に形成されている。
【００２４】
一方、被係止部23はカバー21の周壁に設けられている。つまり、図４(ａ)に示すようにカバー21の底に貫通する挿通孔21Aを通して係止部13が被係止部23に挿通され、突部13Aがカバー21の外周面における被係止部23の下側部分に当接することにより、光源ユニット１が器具本体２に対して仮固定状態で保持される。そして、突部13Aを支点にして光源ユニット１を回動すれば、ユニット本体11の上面をカバー21の下面に当接させることができ、ユニット本体11とカバー21がねじ止めされることで本固定状態となる(図４(ｂ)参照)。なお、本固定状態では係止部13が被係止部23と接触していないので、係止部13及び被係止部23の劣化が進行し難くなって安全性の向上が図れる。
【００２５】
実施形態１では本固定状態において、光源ユニット１の係止部13が器具本体２の外に突出しているが、本実施形態ではカバー21と外郭22の間に形成される空間内に係止部13を収めることができる。したがって、本固定状態においても光源ユニット1の係止部13が器具本体２の外に突出しないので、実施形態１と比較して外観の見栄えが向上するという利点がある。
【符号の説明】
【００２６】
１  光源ユニット
２  器具本体
10  発光ダイオード(固体発光素子)
11  ユニット本体
13  係止部
20  固定板
21  カバー
22  外郭
23  被係止部
【図１】
2012226956.tif 000003
【図２】
2012226956.tif 000004
【図３】
2012226956.tif 000005
【図４】
2012226956.tif 000006